(57)【要約】【課題】インバータ装置の大型化及び接続用スペースの拡大を抑止する。【解決手段】実施形態に係るインバータシステム１Ａは、一台のインバータ装置２と、複数台のインバータオプション装置３とを備える。複数のインバータオプション装置３のうち一つのインバータオプション装置Ａは、インバータ装置２に複数本の配線４により接続されており、複数のインバータオプション装置３のうちインバータ装置２に接続されているインバータオプション装置Ａ以外のインバータオプション装置Ｂはインバータ装置２に他のインバータオプション装置Ａを介して複数本の配線４により接続されており、インバータオプション装置Ｃはインバータ装置２に他のインバータオプション装置ＡやＢを介して少なくとも一本の配線４により接続されている。【選択図】図１
2014090527.tif 000002
【特許請求の範囲】
【請求項１】
一台のインバータ装置と、
複数台のインバータオプション装置と、
を備え、
前記複数台のインバータオプション装置のうち一つのインバータオプション装置は、前記インバータ装置に複数本の配線により接続されており、前記複数台のインバータオプション装置のうち前記インバータ装置に前記複数本の配線により接続されている前記インバータオプション装置以外のインバータオプション装置は、前記インバータ装置に他のインバータオプション装置を介して少なくとも一本の配線により接続されていることを特徴とするインバータシステム。
【請求項２】
前記複数台のインバータオプション装置は、複数本の配線を撚る必要があるインバータオプション装置を優先して前記インバータ装置に接続されていることを特徴とする請求項１に記載のインバータシステム。
【請求項３】
前記インバータ装置は、第１の端子、第２の端子、第３の端子及び第４の端子を有しており、
前記インバータオプション装置は、前記第２の端子と前記第３の端子との間に接続される制動抵抗器、前記第２の端子と前記第４の端子との間に接続される直流電源、前記第２の端子と前記第４の端子との間に接続される高調波抑制ユニット、前記第２の端子と前記第４の端子との間に接続される電源回生ユニット、前記第２の端子と前記第４の端子との間に接続される制動抵抗ユニット、及び、前記第２の端子と前記第１の端子との間に接続される直流リアクトルのいずれかを有していることを特徴とする請求項１又は請求項２に記載のインバータシステム。
【請求項４】
前記インバータ装置は、少なくとも一つの端子を有しており、
前記複数台のインバータオプション装置のうち第１のインバータオプション装置は、互いに電気的に接続されている複数の端子を有しており、
前記複数台のインバータオプション装置のうち第２のインバータオプション装置は、少なくとも一つの端子を有しており、
前記インバータ装置の前記一つの端子と、前記第１のインバータオプション装置の前記複数の端子のうち一つの端子とは一本の配線により接続されており、
前記第１のインバータオプション装置の前記複数の端子のうち前記インバータ装置の前記一つの端子に接続されている端子以外の一つの端子と、前記第２のインバータオプション装置の前記一つの端子とは一本の配線により接続されていることを特徴とする請求項１又は請求項２に記載のインバータシステム。
【請求項５】
互いに電気的に接続されており、外部装置の端子に一本の配線によって接続される複数の端子を備えることを特徴とするインバータオプション装置。
【請求項６】
前記外部装置は、第１の端子、第２の端子、第３の端子及び第４の端子を有するインバータ装置であり、
前記第２の端子と前記第３の端子との間に接続される制動抵抗器、前記第２の端子と前記第４の端子との間に接続される直流電源、前記第２の端子と前記第４の端子との間に接続される高調波抑制ユニット、前記第２の端子と前記第４の端子との間に接続される電源回生ユニット、前記第２の端子と前記第４の端子との間に接続される制動抵抗ユニット、及び、前記第２の端子と前記第１の端子との間に接続される直流リアクトルのいずれかを備えることを特徴とする請求項５に記載のインバータオプション装置。
【請求項７】
一台のインバータ装置に複数台のインバータオプション装置を接続するインバータオプション装置の接続方法であって、
前記複数台のインバータオプション装置のうち一つのインバータオプション装置を前記インバータ装置に複数本の配線により接続し、前記複数台のインバータオプション装置のうち前記インバータ装置に前記複数本の配線により接続されている前記インバータオプション装置以外のインバータオプション装置を前記インバータ装置に他のインバータオプション装置を介して少なくとも一本の配線により接続することを特徴とするインバータオプション装置の接続方法。
【請求項８】
前記複数のインバータオプション装置を、複数本の配線を撚る必要があるインバータオプション装置を優先して前記インバータ装置に接続することを特徴とする請求項７に記載のインバータオプション装置の接続方法。
【発明の詳細な説明】
【技術分野】
【０００１】
本発明の実施形態は、インバータシステム、インバータオプション装置及びインバータオプション装置の接続方法に関する。
【背景技術】
【０００２】
インバータ装置は、任意の周波数及び電圧の交流電圧供給によりモータを駆動する装置である。このインバータ装置の主回路端子には、交流電源を接続するためのＲ端子、Ｓ端子及びＴ端子、さらに、モータを接続するためのＵ端子、Ｖ端子及びＷ端子、加えて、インバータオプション装置を接続するためのＰ０端子（正極コンバータ側端子）、ＰＡ端子（正極インバータ側端子）、ＰＢ端子（制動抵抗接続端子）及びＰＣ端子（直流負側端子）がある。
【０００３】
前述のインバータ装置には、様々なインバータオプション装置を接続することが可能である。インバータオプション装置としては、例えば、前述のＰＡ端子とＰＢ端子の間に接続される制動抵抗器を有するオプション装置（オプション装置Ａ）や、前述のＰＡ端子とＰＣ端子の間に接続される直流電源を有するオプション装置（オプション装置Ｂ）、前述のＰＡ端子とＰ０端子の間に接続される直流リアクトルを有するオプション装置（オプション装置Ｃ）などが挙げられる。
【０００４】
このようなオプション装置をインバータ装置に複数台接続する場合、例えば、インバータ装置に三台のオプション装置Ａ、Ｂ及びＣを接続する場合には、インバータ装置のＰＡ端子と各オプション装置Ａ、Ｂ及びＣの個々のＰＡ端子とを接続するため、インバータ装置のＰＡ端子に三本のケーブルを接続しなければならない。また、他の例として、インバータ装置に同じ種類のオプション装置を複数台並列に接続する場合にも、インバータ装置の各端子に台数分のケーブルを接続しなければならない。
【０００５】
このように一つの端子に複数本のケーブルを接続する必要が生じるが、近年のインバータ装置の小型化によって端子の大きさは小さくなっており、一つの端子に対して複数本のケーブルを接続することは困難になっている。特に、最近では、インバータ装置の主回路端子は一本のケーブルだけを接続することを想定して設計されているため、前述のように一つの端子に複数のケーブルを接続することはできなくなっている。
【０００６】
したがって、一台のインバータ装置に複数台のオプション装置を接続するためには、インバータ装置の主回路端子を大きくする、もしくは、同一機能の端子を増やす必要がある。ところが、このような設計を行った場合には、インバータ装置のサイズが大きくなり、また、オプション装置を必要としないユーザにとっては不必要に端子サイズが大きくなったり、端子個数が増えたりしてしまう。
【０００７】
前述のような不具合に対する対策としては、インバータ装置の端子にＬ字型の端子拡張用金具を取り付けて接続可能なケーブル数を増加させる手段やインバータ装置の横に増設用端子台を追加する手段が提案されている。また、インバータ装置とオプション装置との間に中継端子台を別途設けて接続する手段も提案されている。
【先行技術文献】
【特許文献】
【０００８】
【特許文献１】実開平２−１８２７６号公報
【特許文献２】特開２０００−２００６３４号公報
【特許文献３】特開平３−２５３９０８号公報
【発明の概要】
【発明が解決しようとする課題】
【０００９】
しかしながら、前述のようにインバータ装置の端子に端子拡張用金具を取り付ける手段やインバータ装置の横に増設用端子台を追加する手段では、インバータ装置に増設用スペースを確保する必要があるため、これはサイズアップの要因となり、インバータ装置が大型化してしまう。また、インバータ装置とオプション装置との間に中継端子台を別途設けて接続する手段では、中継端子台を設置するスペースが必要となり、接続に必要となる接続用スペースが拡大してしまう。
【００１０】
本発明が解決しようとする課題は、インバータ装置の大型化及び接続用スペースの拡大を抑止することができるインバータシステム、インバータオプション装置及びインバータオプション装置の接続方法を提供することである。
【課題を解決するための手段】
【００１１】
実施形態に係るインバータシステムは、一台のインバータ装置と、複数台のインバータオプション装置とを備え、複数台のインバータオプション装置のうち一つのインバータオプション装置は、インバータ装置に複数本の配線により接続されており、複数台のインバータオプション装置のうちインバータ装置に複数本の配線により接続されているインバータオプション装置以外のインバータオプション装置は、インバータ装置に他のインバータオプション装置を介して少なくとも一本の配線により接続されている。
【００１２】
実施形態に係るインバータオプション装置は、互いに電気的に接続されており、外部装置の端子に一本の配線によって接続される複数の端子を備える。
【００１３】
実施形態に係るインバータオプション装置の接続方法は、一台のインバータ装置に複数台のインバータオプション装置を接続するインバータオプション装置の接続方法であって、複数台のインバータオプション装置のうち一つのインバータオプション装置をインバータ装置に複数本の配線により接続し、複数台のインバータオプション装置のうちインバータ装置に複数本の配線により接続されているインバータオプション装置以外のインバータオプション装置をインバータ装置に他のインバータオプション装置を介して少なくとも一本の配線により接続する。
【図面の簡単な説明】
【００１４】
【図１】第１の実施形態に係るインバータシステムの概略構成を示す図である。
【図２】第２の実施形態に係るインバータシステムの概略構成を示す図である。
【図３】第３の実施形態に係るインバータシステムの概略構成を示す図である。
【図４】第４の実施形態に係るインバータシステムの概略構成を示す図である。
【発明を実施するための形態】
【００１５】
（第１の実施形態）
第１の実施形態について図１を参照して説明する。
【００１６】
図１に示すように、第１の実施形態に係るインバータシステム１Ａは、モータに交流電圧を出力する一台のインバータ装置２と、そのインバータ装置２用のオプション装置である複数台のインバータオプション装置３（以下、単にオプション装置３という）とを備えている。各オプション装置３はインバータ装置２に複数本の配線４によって接続されている。これらの配線４としては、例えば、各種のケーブルを用いることが可能である。なお、図１は、一台のインバータ装置２に三台のオプション装置３を接続した場合の接続例である。
【００１７】
インバータ装置２は、三相交流電源からの交流電圧を任意の周波数及び電圧に変換してモータ（電動機）に出力する主回路（図示せず）を備えている。主回路は、三相交流電源から供給される交流電圧を整流する整流回路や平滑用のコンデンサ、直流電圧を交流電圧に変換してモータに供給するインバータ回路などにより構成されている。整流回路は、例えばダイオードを三相ブリッジ接続することにより構成されており、コンバータ回路として機能する。また、インバータ回路は、例えばＩＧＢＴ（Insulated Gate Bipolar Transistor）などのスイッチング素子を三相ブリッジ接続すると共に、各スイッチング素子に対して還流ダイオードを並列接続することによって構成されている。このインバータ回路が制御され、Ｖ／ｆ（電圧／周波数）一定制御に代表されるようなモータ制御が行われる。
【００１８】
このようなインバータ装置２は、複数の主回路端子２ａとして、三相交流電源を接続するためのＲ端子、Ｓ端子及びＴ端子、さらに、モータを接続するためのＵ端子、Ｖ端子及びＷ端子を有しており、加えて、インバータオプション装置を接続するためのＰ０端子（正極コンバータ側端子：第１の端子）、ＰＡ端子（正極インバータ側端子：第２の端子）、ＰＢ端子（制動抵抗接続端子：第３の端子）、ＰＣ端子（直流負側端子：第４の端子）を有している。なお、主回路端子２ａのサイズは、その主回路端子２ａに一本の配線４を接続可能な最小のサイズである。したがって、一つの主回路端子２ａに接続可能な配線４の数（配線数）は一本である。
【００１９】
各オプション装置３は、外部装置としてのインバータ装置２に複数本の配線４により接続されて用いられる装置であり、それぞれ複数の端子３ａを有している。この端子３ａのサイズは、その端子３ａに一本の配線４を接続可能な最小のサイズである。したがって、一つの端子３ａに接続可能な配線４の数（配線数）は一本である。なお、第１の実施形態では、オプション装置３として、例えば、制動抵抗器１１を有するオプション装置Ａと、直流電源１２を有するオプション装置Ｂと、直流リアクトル１３を有するオプション装置Ｃとを用いる。
【００２０】
オプション装置Ａは、複数の端子３ａとして、二つのＰＡ端子、二つのＰＢ端子及び二つのＰＣ端子の合計六個の端子を有している。各ＰＡ端子は装置内で互いに電気的に接続されており、同様に、各ＰＢ端子も装置内で互いに電気的に接続されており、各ＰＣ端子も装置内で互いに電気的に接続されている。なお、ＰＡ端子とＰＢ端子との間には、装置内に設けられた制動抵抗器１１が接続されている。このオプション装置Ａの各部を接続する接続手段としては、例えば、プリント基板（プリント配線）などを用いることが可能である。
【００２１】
オプション装置Ｂは、複数の端子３ａとして、二つのＰＡ端子、二つのＰＢ端子及び二つのＰＣ端子の合計六個の端子を有している。各ＰＡ端子は装置内部で互いに電気的に接続されており、同様に、各ＰＢ端子も装置内部で互いに電気的に接続されており、各ＰＣ端子も装置内部で互いに電気的に接続されている。なお、ＰＡ端子とＰＣ端子との間には、装置内に設けられた直流電源１２が接続されている。このオプション装置Ｂの各部を接続する接続手段としては、オプション装置Ａと同様、例えば、プリント基板（プリント配線）などを用いることが可能である。
【００２２】
オプション装置Ｃは、複数の端子３ａとして、二つのＰＡ端子、二つのＰＢ端子、二つのＰＣ端子及び一つのＰ０端子の合計七個の端子を有している。各ＰＡ端子は装置内で互いに電気的に接続されており、同様に、各ＰＢ端子も装置内で互いに電気的に接続されており、各ＰＣ端子も装置内で互いに電気的に接続されている。なお、ＰＡ端子とＰ０端子との間には、装置内に設けられた直流リアクトル１３が接続されている。このオプション装置Ｃの各部を接続する接続手段としては、オプション装置ＡやＢと同様、例えば、プリント基板（プリント配線）などを用いることが可能である。
【００２３】
ここで、前述のオプション装置ＡやＢ、Ｃ以外の他のオプション装置３としては、例えば、ＰＡ端子とＰＣ端子との間に接続された高調波抑制ユニット又は電源回生ユニットあるいは制動抵抗ユニットを有するオプション装置などがあり、このようなオプション装置を用いることも可能である。
【００２４】
次に、前述のインバータ装置２と、各オプション装置３すなわちオプション装置Ａ、Ｂ及びＣとの接続について説明する。
【００２５】
インバータ装置２とオプション装置Ａとの接続では、インバータ装置２のＰＡ端子とオプション装置ＡのＰＡ端子とが一本の配線４により接続されており、同様に、インバータ装置２のＰＢ端子とオプション装置ＡのＰＢ端子とが一本の配線４により接続されている。さらに、インバータ装置２のＰＣ端子とオプション装置ＡのＰＣ端子とが一本の配線４により接続されている。この三本の配線４はツイストされ（撚られ）、ノイズ（受けるノイズや出すノイズ、以下単にノイズという）を低減するツイスト配線が構成されている。なお、図１では、楕円状の線がツイスト配線であることを示している。
【００２６】
オプション装置Ａとオプション装置Ｂとの接続では、オプション装置ＡのＰＡ端子とオプション装置ＢのＰＡ端子とが一本の配線４により接続されており、オプション装置ＡのＰＣ端子とオプション装置ＢのＰＣ端子とが一本の配線４により接続されている。この二本の配線４はツイストされ、ノイズを低減するツイスト配線が構成されている。
【００２７】
最後に、オプション装置Ｂとオプション装置Ｃとの接続では、オプション装置ＢのＰＡ端子とオプション装置ＣのＰＡ端子とが一本の配線４により接続されており、オプション装置ＣのＰ０端子とインバータ装置２のＰ０端子とが一本の配線４により接続されている。
【００２８】
このようにインバータ装置２と各オプション装置Ａ、Ｂ及びＣとの接続では、オプション装置Ａはインバータ装置２に三本の配線４により接続されており、オプション装置Ｂはインバータ装置２に他のオプション装置Ａを介して二本の配線４により接続されている。さらに、オプション装置Ｃはインバータ装置２に他のオプション装置ＡやＢを介して二本の配線４により接続されている。なお、オプション装置Ｃの二本の配線４のうち一本の配線４は、他のオプション装置ＡやＢを介さず直接インバータ装置２に接続されている。
【００２９】
このような接続により、インバータ装置２の主回路端子２ａが最小構成（最小数）であり、主回路端子２ａに一本の配線４しか接続できないような場合でも、複数台のオプション装置３は互いを介してインバータ装置２に接続されるので、インバータ装置２をサイズアップすることなく、また、中継端子台を用いることなく、インバータ装置２に複数台のオプション装置３を接続することが可能となる。したがって、端子拡張用金具や増設用端子台を設けるための増設用スペースも不要となり、また、インバータ装置２の主回路端子２ａを大きくしたり、同一機能の端子を増やしたりする必要はなくなるので、インバータ装置２がサイズアップすることを抑えることができる。さらに、中継端子台を別途設ける必要も無く、接続に必要となる接続用スペースの拡大も抑えることができる。
【００３０】
以上説明したように、第１の実施形態によれば、複数台のオプション装置３のうち一つのオプション装置Ａがインバータ装置２に複数本の配線４により接続されており、そのインバータ装置２に接続されているオプション装置Ａ以外の各オプション装置ＢやＣは、他のオプション装置ＡやＢを介して（オプション装置Ｂはオプション装置Ａを介して、オプション装置Ｃはオプション装置Ａ及びＢを介して）複数本の配線４により接続されている。これにより、インバータ装置２の主回路端子２ａに一本の配線しか接続できないような場合でも、複数台のオプション装置３は互いを介してインバータ装置２に接続されることになるので、インバータ装置２をサイズアップすることなく、また、中継端子台を用いることなく、インバータ装置２に複数台のオプション装置３を接続することが可能となるので、インバータ装置２の大型化及び接続用スペースの拡大を抑止することができる。
【００３１】
なお、第１の実施形態においては、インバータ装置２に対して最初にオプション装置Ａを接続しているが、これに限るものではなく、例えば、オプション装置Ｂあるいはオプション装置Ｃを接続するようにしても良い。ただし、ツイスト配線の実現によるノイズ低減を達成するためには、各オプション装置Ａ、Ｂ及びＣの優先度（接続優先度）に基づいて接続することが望ましい。なお、優先度は、オプション装置３毎の配線の長さ（ケーブル長）やツイスト要否などの条件に応じて決定されている。
【００３２】
ここで、前述したようにオプション装置３としては様々な種類のものがあり、接続のために使用する配線の長さやツイストの要否などが個々に決められている。例えば、前述のオプション装置Ａやオプション装置Ｂは、ケーブル長をできるだけ短くかつツイストすることが推奨されている。一方、オプション装置Ｃはツイスト不要である。したがって、インバータ装置２に対して先に接続するオプション装置３としては、オプション装置Ａあるいはオプション装置Ｂを優先して接続することが望ましい。ただし、第１の実施形態では、インバータ装置２に各オプション装置３を接続する際、インバータ装置２に対して最初に接続するオプション装置３として、どのオプション装置（ＡやＢ、Ｃ）を選択して接続してもいいように各オプション装置３に複数の端子３ａを設けている。
【００３３】
（第２の実施形態）
第２の実施形態について図２を参照して説明する。なお、第２の実施形態では、第１の実施形態との相違点について説明し、第１の実施形態で説明した部分と同一部分は同一符号で示し、その説明も省略する。図２は、図１と同様に、一台のインバータ装置２に三台のオプション装置３を接続した場合の接続例である。
【００３４】
図２に示すように、第２の実施形態に係るインバータシステム１Ｂでは、複数台のオプション装置３は前述の優先度に応じてインバータ装置２に接続されている。ここで、優先度としては、オプション装置Ａが一番であり、オプション装置Ｂが二番であり、オプション装置Ｃが三番である。
【００３５】
したがって、最初にオプション装置Ａがインバータ装置２に接続され、次にオプション装置Ｂがそのオプション装置Ａを介してインバータ装置２に接続され、最後にオプション装置Ｃが各オプション装置Ａ及びＢを介してインバータ装置２に接続される。なお、優先度は、例えば、装置間を接続する複数本の配線４を撚る（ツイストする）必要があるオプション装置３を優先するように決定されている。
【００３６】
オプション装置Ａは、複数の端子３ａとして、二つのＰＡ端子、一つのＰＢ端子及び二つのＰＣ端子の合計五個の端子を有している。各ＰＡ端子は装置内で互いに電気的に接続されており、同様に、各ＰＣ端子も装置内で互いに電気的に接続されている。なお、第１の実施形態との相違点は、ＰＢ端子が一つ少なくなっていることである（図１参照）。
【００３７】
オプション装置Ｂは、複数の端子３ａとして、二つのＰＡ端子及び一つのＰＣ端子の合計三個の端子を有している。各ＰＡ端子は装置内で互いに電気的に接続されている。なお、第１の実施形態との相違点は、ＰＢ端子が無くなっており、さらに、ＰＣ端子が一つ少なくなっていることである（図１参照）。
【００３８】
オプション装置Ｃは、複数の端子３ａとして、一つのＰＡ端子及び一つのＰ０端子の合計二個の端子を有している。なお、第１の実施形態との相違点は、ＰＡ端子が一つ少なくなっており、ＰＢ端子及びＰＣ端子が無くなっていることである（図１参照）。
【００３９】
このような構成のインバータシステム１Ｂでは、前述の優先度に応じ、インバータ装置２に接続する順番を固定して、不要となる追加端子を省いている。ここで、第１の実施形態に係る各オプション装置３では、前述したように、インバータ装置２に対して最初に接続するオプション装置３として、どのオプション装置ＡやＢ、Ｃを選択して接続してもいいように各オプション装置３に複数の端子３ａを設けている。
【００４０】
ところが、前述のように優先度を考慮すると、優先度の低いオプション装置３の追加端子、すなわち使用しない端子３ａは不要となる。したがって、第２の実施形態では、前述のように優先度により接続する順番を固定し、不要となる追加端子を省いており、これによって装置構成の簡略化及びコストの削減が実現されている。
【００４１】
以上説明したように、第２の実施形態によれば、前述の第１の実施形態と同様の効果を得ることができる。また、各オプション装置３において不要な端子３ａを取り除くことによって、装置構成の簡略化及びコストの削減を実現することができる。
【００４２】
（第３の実施形態）
第３の実施形態について図３を参照して説明する。なお、第３の実施形態では、第１の実施形態との相違点について説明し、第１の実施形態で説明した部分と同一部分は同一符号で示し、その説明も省略する。図３は、一台のインバータ装置２に四台のオプション装置３を接続した場合の接続例である。
【００４３】
図３に示すように、第３の実施形態に係るインバータシステム１Ｃでは、複数台のオプション装置３として、二台のオプション装置Ａ（第１のオプション装置Ａ及び第２のオプション装置Ａ）と、二台のオプション装置Ｂ（第１のオプション装置Ｂ及び第２のオプション装置Ｂ）とが前述の優先度に応じてインバータ装置２に接続されている。ここで、優先度としては、オプション装置Ａが一番であり（第１のオプション装置Ａと第２のオプション装置Ａの優先度は同じである）、オプション装置Ｂが二番である（第１のオプション装置Ｂと第２のオプション装置Ｂの優先度は同じである）。
【００４４】
したがって、最初に二台のオプション装置Ａがインバータ装置２に対して並列に接続され、その後二台のオプション装置Ｂが各オプション装置Ａを介してインバータ装置２に対して並列に接続される。なお、優先度は、例えば、装置間を接続する配線４をより短くする必要があるオプション装置３を優先するように決定されている。
【００４５】
オプション装置Ａは第１の実施形態と同様であるが、オプション装置Ｂは、複数の端子３ａとして、二つのＰＡ端子及び二つのＰＣ端子の合計四個の端子を有している。各ＰＡ端子は装置内で互いに電気的に接続されており、同様に、各ＰＣ端子も装置内で互いに電気的に接続されている。なお、第１の実施形態との相違点は、ＰＢ端子が無くなっていることである（図１参照）。
【００４６】
ここで、各オプション装置Ｂのどちらを先に接続するかを優先度に応じて決定しようとしても、それらの優先度が同じでありその決定は不可能であるため、どちらが先に接続されても大丈夫なように二台とも二つのＰＡ端子及び二つのＰＣ端子を備えている。なお、同じ理由で、オプション装置Ａも二つのＰＢ端子を有している。
【００４７】
次に、前述のインバータ装置２と、各オプション装置３すなわち二台のオプション装置Ａ及び二台のオプション装置Ｂとの接続について説明する。
【００４８】
インバータ装置２と第１のオプション装置Ａ（図３中の左端のオプション装置３）との接続では、第１の実施形態と同様に、インバータ装置２のＰＡ端子と第１のオプション装置ＡのＰＡ端子とが一本の配線４により接続されており、同様に、インバータ装置２のＰＢ端子と第１のオプション装置ＡのＰＢ端子とが一本の配線４により接続されている。さらに、インバータ装置２のＰＣ端子と第１のオプション装置ＡのＰＣ端子とが一本の配線４により接続されている。この三本の配線４はツイストされ、ノイズを低減するツイスト配線が構成されている。なお、図３でも、楕円状の線がツイスト配線であることを示している。
【００４９】
第１のオプション装置Ａと第２のオプション装置Ａ（図３中の左から二番目のオプション装置３）との接続では、第１のオプション装置ＡのＰＡ端子と第２のオプション装置ＡのＰＡ端子とが一本の配線４により接続されており、第１のオプション装置ＡのＰＢ端子と第２のオプション装置ＡのＰＢ端子とが一本の配線４により接続されており、さらに、第１のオプション装置ＡのＰＣ端子と第２のオプション装置ＡのＰＣ端子とが一本の配線４により接続されている。この三本の配線４はツイストされ、ノイズを低減するツイスト配線が構成されている。
【００５０】
第２のオプション装置Ａと第１のオプション装置Ｂ（図３中の左から三番目のオプション装置３）との接続では、第２のオプション装置ＡのＰＡ端子と第１のオプション装置ＢのＰＡ端子とが一本の配線４により接続されており、第２のオプション装置ＡのＰＣ端子と第１のオプション装置ＢのＰＣ端子とが一本の配線４により接続されている。この二本の配線４はツイストされ、ノイズを低減するツイスト配線が構成されている。
【００５１】
第１のオプション装置Ｂと第２のオプション装置Ｂ（図３中の左から四番目のオプション装置３）との接続では、第１のオプション装置ＢのＰＡ端子と第２のオプション装置ＢのＰＡ端子とが一本の配線４により接続されており、第１のオプション装置ＢのＰＣ端子と第２のオプション装置ＢのＰＣ端子とが一本の配線４により接続されている。この二本の配線４はツイストされ、ノイズを低減するツイスト配線が構成されている。
【００５２】
以上説明したように、第３の実施形態によれば、前述の第１の実施形態と同様の効果を得ることができる。また、インバータ装置２に対して並列に複数台のオプション装置３を接続する場合でも、インバータ装置２をサイズアップすることなく、また、中継端子台を用いることなく、インバータ装置２に複数台のオプション装置３を接続することが可能となるので、インバータ装置２の大型化及び接続用スペースの拡大を抑止することができる。
【００５３】
（第４の実施形態）
第４の実施形態について図４を参照して説明する。なお、第４の実施形態では、第３の実施形態との相違点について説明し、第３の実施形態で説明した部分と同一部分は同一符号で示し、その説明も省略する。図４は、図３と同様に、一台のインバータ装置２に四台のオプション装置３を接続した場合の接続例である。
【００５４】
図４に示すように、第４の実施形態に係るインバータシステム１Ｄでは、オプション装置Ａは第３の実施形態の構成に一つのＰＡ端子を追加したオプション装置である。すなわち、第４の実施形態に係るオプション装置Ａは、複数の端子３ａとして、三つのＰＡ端子、二つのＰＢ端子及び二つのＰＣ端子の合計七個の端子を有している。なお、三つ全てのＰＡ端子は装置内で互いに電気的に接続されている（他の端子の接続は第３の実施形態と同様である）。
【００５５】
次に、前述のインバータ装置２と、各オプション装置３すなわち二台のオプション装置Ａ及び二台のオプション装置Ｂとの接続について説明する。
【００５６】
インバータ装置２と第２のオプション装置Ａ（図４中の左から二番目のオプション装置３）との接続では、インバータ装置２のＰＡ端子と第２のオプション装置ＡのＰＡ端子とが一本の配線４により接続されており、同様に、インバータ装置２のＰＢ端子と第２のオプション装置ＡのＰＢ端子とが一本の配線４により接続されている。さらに、インバータ装置２のＰＣ端子と第２のオプション装置ＡのＰＣ端子とが一本の配線４により接続されている。この三本の配線４はツイストされ、ノイズを低減するツイスト配線が構成されている。なお、図４でも、楕円状の線がツイスト配線であることを示している。
【００５７】
第２のオプション装置Ａと第１のオプション装置Ａ（図４中の左端のオプション装置３）との接続では、第２のオプション装置ＡのＰＡ端子と第１のオプション装置ＡのＰＡ端子とが一本の配線４により接続されており、第２のオプション装置ＡのＰＢ端子と第１のオプション装置ＡのＰＢ端子とが一本の配線４により接続されている。この二本の配線４はツイストされ、ノイズを低減するツイスト配線が構成されている。
【００５８】
第２のオプション装置Ａと第１のオプション装置Ｂ（図３中の左から三番目のオプション装置３）との接続では、第２のオプション装置ＡのＰＡ端子と第１のオプション装置ＢのＰＡ端子とが一本の配線４により接続されており、第２のオプション装置ＡのＰＣ端子と第１のオプション装置ＢのＰＣ端子とが一本の配線４により接続されている。この二本の配線４はツイストされ、ノイズを低減するツイスト配線が構成されている。
【００５９】
第１のオプション装置Ｂと第２のオプション装置Ｂ（図３中の左から四番目のオプション装置３）との接続では、第３の実施形態と同様に、第１のオプション装置ＢのＰＡ端子と第２のオプション装置ＢのＰＡ端子とが一本の配線４により接続されており、第１のオプション装置ＢのＰＣ端子と第２のオプション装置ＢのＰＣ端子とが一本の配線４により接続されている。この二本の配線４はツイストされ、ノイズを低減するツイスト配線が構成されている。
【００６０】
ここで、第１のオプション装置Ａと第１のオプション装置Ｂに関して、インバータ装置２からの各配線４の長さはほぼ同じになる。これにより、インバータ装置２につながる各配線４の長さは第３の実施形態に比べ短くなる。また、第２のオプション装置Ｂでも、インバータ装置２との間に存在するオプション装置Ａの台数が減少するため、インバータ装置２につながる各配線４の長さは第３の実施形態に比べ短くなる。このようにして、装置間を接続する各配線４の長さを短くすることが可能となり、さらに、各配線４の長さ（ケーブル長）のばらつきを抑えることができる。
【００６１】
以上説明したように、第４の実施形態によれば、前述の第１及び第３の実施形態と同様の効果を得ることができる。また、インバータ装置２に複数台のオプション装置３を接続する際、各配線４の長さが短くさらにそれらのバランスが良くなるように接続を行うことによって、各配線４の長さをできるだけ短く、さらに、各配線４の長さのばらつきを抑えることが可能となるので、より確実にノイズを抑止することができる。
【００６２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１Ａ…インバータシステム、１Ｂ…インバータシステム、１Ｃ…インバータシステム、１Ｄ…インバータシステム、２…インバータ装置、２ａ…主回路端子、３…オプション装置、３ａ…端子、４…配線、１１…制動抵抗器、１２…直流電源、１３…直流リアクトル
【図１】
2014090527.tif 000003
【図２】
2014090527.tif 000004
【図３】
2014090527.tif 000005
【図４】
2014090527.tif 000006